(57)【要約】      （修正有）【課題】ケーブル橋に取り付けられるケーブル制振装置のカバー内に水が浸入しにくいケーブル制振装置を提供する【解決手段】ケーブル制振装置用カバー１０４の、分割部１０４ｄの２つの縁１４１，１４２は、互いに対向し、重ね合わされる合わせ面１４５，１４６を有している。分割部１０４ｄの２つの縁１４１，１４２のうち少なくとも一方の縁１４１の合わせ面１４５は、合わせ面１４５，１４６が重ね合わされる方向に突出した突条１４７を有している。【選択図】図４
2018087449.tif 000002
【特許請求の範囲】
【請求項１】
ケーブルの端部が固定される固定側の部材と、ケーブルとの間に取り付けられた制振装置と、
ゴム製のカバーと
を備え、
前記カバーは、
前記制振装置が取り付けられた空間を囲む環状のカバー本体と、
前記カバー本体の一端に設けられ、前記ケーブルに装着される環状の第１装着部と、
前記固定側の部材に周方向に沿って取り付けられた環状の第２装着部と、
周方向の少なくとも一箇所において、前記第１装着部から前記第２装着部まで至るように設定された分割線に沿って分割された分割部と、
前記分割部の２つの縁を重ね合わせた状態で締結する締結部材と
を有し、
前記分割部の２つの縁は、互いに対向し、重ね合わされる合わせ面を有し、
前記分割部の２つの縁のうち少なくとも一方の縁の前記合わせ面は、前記合わせ面が重ね合わされる方向に突出し、かつ、前記第１装着部から前記第２装着部まで至るように延びた突条を有する、
ケーブル制振装置。
【請求項２】
前記突条は、突出方向に向けて幅が徐々に狭くなった、請求項１に記載されたケーブル制振装置。
【請求項３】
前記突条の突出方向の先端に、前記合わせ面に沿った平坦な面を有する、請求項１または２に記載されたケーブル制振装置。
【請求項４】
前記平坦な面の幅が１ｍｍ以上である、請求項３に記載されたケーブル制振装置。
【請求項５】
前記突条の突出方向の高さが１ｍｍ以上３ｍｍ以下である、請求項１から４までの何れか一項に記載されたケーブル制振装置。
【請求項６】
前記合わせ面の少なくとも一部において、幅方向に離れて少なくとも２本の突条が形成されている、請求項１から５までの何れか一項に記載されたケーブル制振装置。
【請求項７】
前記分割線は、周方向に直交する方向に沿って設定されており、
前記分割部の２つの縁には、外径側に突出したフランジが設けられており、
前記フランジには、それぞれ前記分割線に沿って複数の挿通孔が形成されており、
前記締結部材は、前記挿通孔に挿通されるボルトあるいはリベットを有し、
前記複数の挿通孔を結ぶ仮想線の外側と内側にそれぞれ前記突条が設けられている、
請求項１から６までの何れか一項に記載されたケーブル制振装置。
【請求項８】
前記分割線は、周方向に直交する方向に沿って設定されており、
前記分割部の２つの縁には、外径側に突出したフランジが設けられており、
前記フランジには、それぞれ前記分割線に沿って複数の挿通孔が形成されており、
前記締結部材は、前記挿通孔に挿通されるボルトあるいはリベットを有し、
前記突条は、前記合わせ面において前記複数の挿通孔を囲むように配置された、
請求項１から６までの何れか一項に記載されたケーブル制振装置。
【請求項９】
予め定められた空間を囲む環状のカバー本体と、
前記カバー本体の一端に設けられた環状の第１装着部と、
前記カバー本体の他端に設けられた環状の第２装着部と、
周方向の少なくとも一箇所において、前記第１装着部から前記第２装着部まで至るように設定された分割線に沿って分割された分割部と、
前記分割部を重ね合わせた状態で締結する締結部材と
を有し、
前記分割部の２つの縁は、互いに対向し、重ね合わされる合わせ面を有し、
前記分割部の２つの縁のうち少なくとも一方の縁の前記合わせ面は、前記合わせ面が重ね合わされる方向に突出し、かつ、前記第１装着部から前記第２装着部まで至るように延びた突条を有する、
ケーブル制振装置用カバー。
【請求項１０】
前記突条は、突出方向に向けて幅が徐々に狭くなった、請求項９に記載されたケーブル制振装置用カバー。
【請求項１１】
前記突条の突出方向の先端に、前記合わせ面に沿った平坦な面を有する、請求項９または１０に記載されたケーブル制振装置用カバー。
【請求項１２】
前記平坦な面の幅が１ｍｍ以上である、請求項１１に記載されたケーブル制振装置用カバー。
【請求項１３】
前記突条の突出方向の高さが１ｍｍ以上３ｍｍ以下である、請求項９から１２までの何れか一項に記載されたケーブル制振装置用カバー。
【請求項１４】
前記合わせ面の少なくとも一部において、幅方向に離れて少なくとも２本の突条が形成されている、請求項９から１３までの何れか一項に記載されたケーブル制振装置用カバー。
【請求項１５】
前記分割線は、周方向に直交する方向に沿って設定されており、
前記分割部の２つの縁には、外径側に突出したフランジが設けられており、
前記フランジには、それぞれ前記分割線に沿って複数の挿通孔が形成されており、
前記締結部材は、前記挿通孔に挿通されるボルトあるいはリベットを有し、
前記複数の挿通孔を結ぶ仮想線の外側と内側にそれぞれ前記突条が設けられている、
請求項９から１４までの何れか一項に記載されたケーブル制振装置用カバー。
【請求項１６】
前記分割線は、周方向に直交する方向に沿って設定されており、
前記分割部の２つの縁には、外径側に突出したフランジが設けられており、
前記フランジには、それぞれ前記分割線に沿って複数の挿通孔が形成されており、
前記締結部材は、前記挿通孔に挿通されるボルトあるいはリベットを有し、
前記突条は、前記合わせ面において前記複数の挿通孔を囲むように配置された、
請求項９から１４までの何れか一項に記載されたケーブル制振装置用カバー。
【発明の詳細な説明】
【技術分野】
【０００１】
本発明は、ケーブル制振装置に関する。
【背景技術】
【０００２】
かかるケーブル制振装置は、例えば、エクストラドーズド橋、斜張橋、吊り橋などのケーブル橋に用いられている。ここで、ケーブル橋は、ケーブルによって橋桁が支持される構造を有する橋を意味する。ケーブル制振装置については、例えば、特開平１０−６０８１４号公報（特許文献１）に開示されている。ここで、斜張橋では、主塔と橋桁との間にケーブルが斜めに張り渡されている。ケーブルの端部は、橋桁に取り付けられた定着管に固定されている。特許文献１には、ケーブルおよび固定側部材に取り付けられ、ケーブル側部材および制振装置を囲うように取り付けられるカバーについても開示されている。カバーは、周方向の一箇所が、軸方向に沿って分割され、当該分割部がボルトによって水密に締め付けられた構造が開示されている。
【先行技術文献】
【特許文献】
【０００３】
【特許文献１】特開平１０−６０８１４号公報
【発明の概要】
【発明が解決しようとする課題】
【０００４】
ところで、ケーブル制振装置は、上述のように斜張橋のケーブルに取り付けられるため、風雨に曝される。カバーは、ケーブルや固定側部材に対して密着させて装着されており、カバーの分割部もボルトによって水密に締め付けられている構造である。にもかかわらず、近年、豪雨時などで雨量が増えた場合など、カバー内に浸入する水が増える事象が見られた。このためカバー内に浸入する水をより確実に減らしたいと考えている。
【課題を解決するための手段】
【０００５】
本発明の一実施形態に係るケーブル制振装置は、ケーブルの端部が固定される固定側の部材と、ケーブルとの間に取り付けられた制振装置と、ゴム製のカバーとを備えている。カバーは、制振装置が取り付けられた空間を囲む環状のカバー本体と、カバー本体の一端に設けられ、ケーブルに装着される環状の第１装着部と、固定側の部材に周方向に沿って取り付けられた環状の第２装着部と、周方向の少なくとも一箇所において、第１装着部から第２装着部まで至るように設定された分割線に沿って分割された分割部と、分割部を重ね合わせた状態で締結する締結部材とを有している。
分割部の２つの縁は、互いに対向し、重ね合わされる合わせ面を有している。分割部の２つの縁のうち少なくとも一方の縁の合わせ面は、合わせ面が重ね合わされる方向に突出し、かつ、第１装着部から第２装着部まで至るように延びた突条を有している。
【０００６】
締結部材によって、分割部が重ね合わされた状態で締結されると、分割部の２つの縁の合わせ面において突条が挟まれる。このため、分割部には、突条に沿って止水ラインが形成される。このため分割部から水が浸入しにくい。
【図面の簡単な説明】
【０００７】
【図１】図１は、ケーブル制振装置１００の一実施形態を示す部分断面図である。
【図２】図２は、ケーブル制振装置用カバー１０４の断面図である。
【図３】図３は、挿通されるケーブルの軸方向から見たケーブル制振装置用カバー１０４の平面図である。
【図４】図４は、合わせ面１４５に形成された突条１４７の形状を示す断面図である。
【発明を実施するための形態】
【０００８】
以下、本発明の一実施形態に係るケーブル制振装置を図面に基づいて説明する。ここでは、斜張橋に取り付けられたケーブル制振装置が例示されている。なお、本発明は、特に言及されない限りにおいて、ここで説明される実施形態に限定されない。また、同じ作用を奏する部材又は部位には、適宜に同じ符号を付している。また、図面は、発明の理解を助けるべく概略的に描かれており、必ずしも実物を表すものではない。
【０００９】
図１は、ケーブル制振装置１００の一実施形態を示す部分断面図である。
ケーブル制振装置１００は、例えば、斜張橋のケーブル１１に取り付けられる制振装置である。ここで、斜張橋は、主塔と、主塔に架け渡らせた橋桁１２と、主塔と橋桁１２との間に斜めに張られたケーブル１１とを備えている。橋桁１２には、ケーブル１１が挿通され、ケーブル１１の端部を保護するための定着管１３（保護管）が取り付けられている。この実施形態では、定着管１３は、橋桁１２の構造部材に溶接されている。ケーブル１１の一端を固定する固定部は、定着管１３あるいは橋桁１２などの固定側の部材に設けられている。この実施形態では、定着管１３には、ケーブル制振装置を取り付けるためのフランジ部材１４が取り付けられている。フランジ部材１４は、ボルトナットなどで定着管１３に固定された環状の部材であり、一端にフランジ１４ａを備えている。当該フランジ１４ａは、装着されるケーブル１１の径方向に沿った平面を有する。
【００１０】
ケーブル制振装置１００は、図１に示すように、制振装置１０２と、カバー１０４とを備えている。カバー１０４は、ケーブル制振装置１００用の部材であり、ケーブル制振装置用カバーとも称されうる。
【００１１】
制振装置１０２は、ケーブル１１と、ケーブル１１の端部が固定される固定側の部材（この実施形態では、橋桁１２または定着管１３）との間に取り付けられている。
【００１２】
制振装置１０２は、ケーブル側部材１２１と、制振ユニット１２２とを備えている。ケーブル側部材１２１は、ケーブルに取り付けられる部材である。ケーブル側部材１２１は、半割型の部材によってケーブル１１を挟んでケーブル１１に装着される部材である。ケーブル側部材１２１は、固定側の部材である定着管１３に取り付けられたフランジ部材１４のフランジ１４ａに対向するフランジ１２１ａを備えている。制振ユニット１２２は、固定側の部材である定着管１３に取り付けられたフランジ部材１４のフランジ１４ａと、ケーブル側部材１２１のフランジ１２１ａとの間に配置され、フランジ部材１４とケーブル側部材１２１とに取り付けられている。
【００１３】
この実施形態では、制振ユニット１２２は、対向する一対のプレート１２２ａ、１２２ｂと、粘弾性体１２２ｃとを備えている。粘弾性体１２２ｃは、一対のプレート１２２ａ、１２２ｂの間に挟まれ、それぞれに接着されている。制振ユニット１２２は、固定側のフランジ１４ａと、ケーブル側のフランジ１２１ａとの間に挟まれている。そして、一対のプレート１２２ａ、１２２ｂのうち一方が、固定側のフランジ１４ａに取り付けられ、他方がケーブル側のフランジ１２１ａに取り付けられている。
【００１４】
橋桁１２に取り付けられた定着管に対して、ケーブル１１が振れ動く際に、ケーブル側部材のフランジ１２１ａが固定側のフランジ１４ａに対して相対的に変位する。この際、ケーブル側のフランジ１２１ａと固定側のフランジ１４ａとの相対的な変位に応じて、粘弾性体１２２ｃに相当の変形（せん断変形）が入力される。この際、粘弾性体１２２ｃの変形に応じて抗力が生じ、ケーブル１１の振動を減衰させるエネルギが得られる。
【００１５】
このように制振装置１０２は、ケーブル１１と、ケーブル１１の端部が固定される固定側の部材との間に取り付けられているとよい。制振装置１０２は、ケーブル１１の振動を早期に減衰させる構造を有しているとよい。ここで、制振装置１０２の構造などは、一例を示すものであり、特に言及されない限りにおいて上述した実施形態に限定されない。例えば、上述した実施形態では、制振装置１０２として粘弾性体１２２ｃのせん断変形が入力されるが、かかる粘弾性体１２２ｃが用いられた構造に限定されない。
【００１６】
図２は、ケーブル制振装置用カバー１０４の断面図である。図３は、挿通されるケーブルの軸方向から見たケーブル制振装置用カバー１０４の平面図である。図４は、合わせ面１４５に形成された突条１４７の形状を示す断面図である。図４では、合わせ面１４５，１４６が合わされる前の状態が示されている。
【００１７】
カバー１０４は、図２に示すように、カバー本体１０４ａと、第１装着部１０４ｂと、第２装着部１０４ｃと、分割部１０４ｄと、締結部材１０４ｅとを有している。カバー１０４は、全体として概ねゴム製の部材である。この実施形態では、所要の耐候性を有し、かつ、所要の硬度を有するゴムが用いられている。また、所要の耐候性を確保するために表面が塗装されているとよい。耐候性を有する塗料として、例えば、アクリル樹脂を用いたポリウレタン樹脂塗料が用いられているとよい。
【００１８】
カバー本体１０４ａは、図１および図３に示すように、制振装置１０２が取り付けられた空間を囲む環状のカバーの本体部分である。
第１装着部１０４ｂは、カバー本体１０４ａの一端に設けられ、ケーブル１１に装着される環状の部位である。
第２装着部１０４ｃは、固定側の部材（この実施形態では、定着管１３に取り付けられたフランジ部材１４）に周方向に沿って取り付けられている。
【００１９】
この実施形態では、カバー本体１０４ａの内径は、第１装着部１０４ｂに装着されるケーブル１１の軸方向に沿って、第１装着部１０４ｂから徐々に大きくなっている。そして、ケーブル１１の軸方向に沿った中間部において最も大きく、当該中間部から第１装着部１０４ｂに向けて徐々に小さくなっている。
【００２０】
第１装着部１０４ｂは、カバー本体１０４ａの一端に設けられた肉厚の環状部位である。第１装着部１０４ｂの内側面１０４ｂ１の、軸方向に沿った中間部は、内径側に盛り上がっている。第１装着部１０４ｂは、ケーブル１１に装着される。第１装着部１０４ｂの内径は、装着されるケーブル１１の外径と大凡同じである。
【００２１】
第２装着部１０４ｃは、カバー本体１０４ａの他端に設けられた肉厚の環状部位である。第２装着部１０４ｃの内側面１０４ｃ１の、軸方向に沿った中間部は、内径側に盛り上がっている。第２装着部１０４ｃは、定着管１３に取り付けられる固定側のフランジ部材１４の胴部１４ｂに装着される。第２装着部１０４ｃの内径は、装着される胴部１４ｂの外径と大凡同じである。
【００２２】
分割部１０４ｄは、第１装着部１０４ｂから第２装着部１０４ｃまで至るようにカバー１０４に設定された分割線１０４ｄ１に沿って分割された部位である。この実施形態では、分割部１０４ｄの分割線は、カバー１０４の周方向の一箇所において、周方向に直交する方向（換言すると、挿通されるケーブルの軸方向）に沿って設けられている。分割部１０４ｄの２つの縁１４１，１４２は、互いに対向し、重ね合わされる合わせ面１４５，１４６を有している。
【００２３】
分割部１０４ｄの２つの縁１４１，１４２のうち一方の縁１４１の合わせ面１４５は、突条１４７を有している。突条１４７は、合わせ面１４５，１４６が重ね合わされる方向に突出し、かつ、第１装着部１０４ｂから第２装着部１０４ｃまで至るように延びている。
【００２４】
この実施形態では、突条１４７は、図４に示すように、突出方向に向けて幅が徐々に狭くなっている。突条１４７の突出方向の先端に、合わせ面１４５に沿った平坦な面１４７ａを有する。好適な一形態として、突条１４７の幅方向断面は、台形、具体的には等脚台形で形成されおり、突出方向の先端は、合わせ面１４５に平行な平坦な面になっている。また、平坦な面の幅が１ｍｍ以上であるとよい。平坦な面の幅は、例えば、突条１４７の突出方向の高さと同じか、それよりも広いとよい。平坦な面の幅は、この実施形態では、２ｍｍである。平坦な面の幅は、例えば、２ｍｍ以上１０ｍｍ以下程度としてもよい。また、突条の突出方向の高さは、この実施形態では、２ｍｍであるが、１ｍｍ以上３ｍｍ以下であるとよい。例えば、突条１４７の先端の平坦な面の幅は、突条の突出方向の高さと同じか、それよりも広いとよい。また、突条１４７の基端は、突条１４７の先端の平坦な面よりも同じかそれよりも広いとよい。例えば、突条１４７の基端は、突条１４７の先端の平坦な面よりも倍以上に広いとよい。この実施形態では、突条１４７の基端は、４ｍｍで設定されている。
【００２５】
この実施形態では、図４に示すように、合わせ面１４５の少なくとも一部において、幅方向に離れて少なくとも２本の突条１４７が形成されている。幅方向に２本の突条１４７があることで、合わせ面を重ねたときに傾きにくくなる。
【００２６】
この実施形態では、分割部１０４ｄの２つの縁１４１，１４２は、それぞれ分割線に沿って外径方向に突出したフランジ１４３，１４４を有している。この実施形態では、フランジ１４３，１４４には、所要の剛性を有する金属製（この実施形態では、鋼板）の補強板１４３ｂ，１４４ｂが埋め込まれている。フランジ１４３，１４４には、それぞれ分割線に沿って複数の挿通孔１４３ａ，１４４ａが形成されている。図１では、分割線に沿って分割される分割部１０４ｄの一方のフランジ１４４が図示されている。
【００２７】
フランジ１４３，１４４は、対向する側面に互いに重ね合わされる合わせ面１４５，１４６を有している。締結部材１０４ｅは、分割部１０４ｄを重ね合わせた状態で締結する部材である。この実施形態では、締結部材１０４ｅは、フランジ１４３，１４４に設けられた挿通孔１４３ａ，１４４ａに挿通されたボルトあるいはリベットである。フランジ１４３，１４４には挿通孔１４３ａ，１４４ａが設けられた部分に、ボルトあるいはリベットの頭部が収まる段差が設けられている。この実施形態では、フランジ１４３，１４４は、ボルトナット１４８で締め付けられている。
【００２８】
図２の２点鎖線Ｋは、合わせ面１４５，１４６に形成される止水ラインが示されている。つまり、合わせ面１４５に形成される突条１４７が、他方の合わせ面１４６に当たる位置が示されている。この実施形態では、図２に示すように、複数の挿通孔１４３ａ，１４４ａを結ぶ仮想線の外側と内側にそれぞれ突条１４７が設けられている。さらに、この実施形態では、突条１４７は、合わせ面１４５，１４６において複数の挿通孔１４３ａ，１４４ａを囲むように配置されている。つまり、分割部１０４ｄの合わせ面１４５のうち、第１装着部１０４ｂおよび第２装着部１０４ｃの位置では、突条１４７は、一本である。第１装着部１０４ｂと第２装着部１０４ｃの間では、突条１４７は、２本に分岐している。２本に分岐された突条１４７は、合わせ面１４５の幅方向において、複数の挿通孔１４３ａ，１４４ａを結ぶ仮想線に対して、カバー１０４の外側と内側とにそれぞれを通っている。
【００２９】
カバー１０４は、上述のように全体として環状（筒状）のゴム製の部材であり、周方向の少なくとも一箇所（この実施形態では、一箇所）に軸方向に沿って分割部１０４ｄを有する。分割部１０４ｄの２つの縁１４１，１４２には、フランジ１４３，１４４が設けられている。フランジ１４３，１４４の合わせ面１４５，１４６には、突条１４７が設けられている。
【００３０】
カバー１０４は、弾性的に変形され、分割部１０４ｄに沿って開かれ、図１に示すように、ケーブル１１に取り付けられる。この際、カバー１０４は、橋桁１２に取り付けられたケーブル１１の基端部に取り付けられた制振装置１０２を囲むように取り付けられる。このとき、カバー１０４の一端の第１装着部１０４ｂは、ケーブル１１に取り付けられる。第１装着部１０４ｂの外周には、締結バンド１０４ｇが巻かれている。締結バンド１０４ｇによって、第１装着部１０４ｂの内周面がケーブル１１の外周面に密着している。第２装着部１０４ｃは、定着管１３に取り付けられる固定側のフランジ部材１４の胴部１４ｂに装着される。第２装着部１０４ｃの外周には、締結バンド１０４ｈが巻かれている。締結バンド１０４ｈによって、第２装着部１０４ｃの内周面が胴部１４ｂの外周面に密着している。
【００３１】
この実施形態では、分割部１０４ｄは、図３に示すように、カバー１０４の周方向の一箇所に設けられ、かつ、分割部１０４ｄが設けられる分割線は、周方向に直交する方向に沿って設定されている。分割部１０４ｄは、図１に示すように、斜めに設けられるケーブル１１に対して、周方向において下側に配置されるとよい。また、分割部１０４ｄの両側には、カバー本体１０４ａに水抜き穴１０４ｆが形成されている。このため、カバー１０４内に浸入した水は、水抜き穴１０４ｆを通じてカバー本体１０４ａの外に排出される。
【００３２】
締結部材１０４ｅによって、分割部１０４ｄが重ね合わされた状態で締結されると、分割部１０４ｄの２つの縁１４１，１４２の合わせ面１４５，１４６において突条１４７が挟まれる。このため、分割部１０４ｄには、突条１４７に沿って止水ラインＫが形成される。止水ラインＫにおいて、一方の合わせ面１４５の突条１４７が他方の合わせ面１４６に密着している。このため分割部１０４ｄからカバー１０４内に水が浸入しにくい。
【００３３】
つまり、このような突条１４７がなく、単に平坦な合わせ面１４５，１４６を重ねて締結部材１０４ｅによって水密に締結する場合でも水密な状態を確保できる。この実施形態では、さらに分割部１０４ｄの合わせ面１４５に突条１４７を設けられている。そして、分割部１０４ｄに、突条１４７に沿った止水ラインＫ（図２参照）が形成される。かかる止水ラインＫによって、分割部１０４ｄからカバー１０４内に水が浸入しにくくなる。例えば、分割部１０４ｄに取り付けられる締結部材１０４ｅと締結部材１０４ｅの間においても、突条１４７によって止水ラインＫが形成されている。締結部材１０４ｅと締結部材１０４ｅの間でも、分割部１０４ｄからカバー１０４内に水が浸入しにくくなる。このように、分割部１０４ｄの合わせ面１４５に突条１４７を設けられていることによって、分割部１０４ｄからカバー１０４内に水が浸入しにくくなる。
【００３４】
この実施形態では、分割部１０４ｄの挿通孔１４３ａ，１４４ａを結ぶ仮想線の外側と内側には、それぞれ突条が設けられている。複数の挿通孔１４３ａ，１４４ａを結ぶ仮想線の外側と内側に、それぞれ突条が設けられている。このため、ボルトあるいはリベットが挿通される複数の挿通孔１４３ａ，１４４ａの周囲において、合わせ面１４５，１４６が傾きにくく、フランジ１４３，１４４が適切に重ね合わされる。フランジ１４３，１４４は、ボルトあるいはリベットによって締め付けられる。この際、合わせ面１４５，１４６が傾きにくいので、一方の合わせ面１４５に設けられた突条１４７が、他方の合わせ面１４６により適切に密着する。このため、分割部からの水の浸入が抑制される。
【００３５】
この実施形態では、突条１４７は、図４に示すように、突出方向に向けて幅が徐々に狭くなっている。このため、突条１４７は、合わせ面１４５，１４６を密着させる際に座屈しにくい。また、突条１４７は、他方の合わせ面１４６に食い込みやすく、合わせ面１４５，１４６に隙間が生じ難い。さらに、この実施形態では、突出方向の先端が平坦な面であり、突条１４７は、より座屈しにくい。また、複数の挿通孔１４３ａ，１４４ａを結ぶ仮想線の外側と内側にそれぞれ突条１４７が設けられているので、挿通孔１４３ａ，１４４ａに装着されたボルトナット１４８を締め付けても、フランジ１４３，１４４の合わせ面１４５，１４６が傾かない。さらに、複数の挿通孔１４３ａ，１４４ａを囲むように、突条１４７が設けられているので、複数の挿通孔１４３ａ，１４４ａが形成された領域の両側からも水が入りにくい。
【００３６】
このように、ここで提案されるケーブル制振装置用カバー１０４は、図２に示すように、分割部１０４ｄの２つの縁に、互いに重ね合わされる合わせ面１４５，１４６を有している。そして、少なくとも一方の縁１４１の合わせ面１４５は、合わせ面１４５が重ね合わされる方向に突出し、かつ、第１装着部１０４ｂから第２装着部１０４ｃまで至るように延びた突条１４７を有している。このため、分割部１０４ｄから水が浸入するのをより確実に防止できる。また、この実施形態では、分割部１０４ｄの一方の縁１４１の合わせ面１４５に、突条１４７が形成されている。分割部１０４ｄの一方の縁１４１の合わせ面１４５にだけ突条１４７が形成されている場合には、分割部１０４ｄの２つの縁１４１，１４２が互いに重ね合わされる際に突条１４７が浮きにくい。このため、分割部１０４ｄに突条１４７によって形成される止水ラインＫに隙間が生じ難い。
【００３７】
ここで、分割部１０４ｄは、カバー１０４の周方向の一箇所に形成された形態を例示したが、分割部１０４ｄは、カバー１０４の周方向に複数設けられていてもよい。また、カバー１０４の形状、突条１４７の形状や配置など、特に言及されない限りにおいて上述した実施形態に限定されない。例えば、幅方向断面において突条１４７の形状が、突出した先端に平坦な面を有する等脚台形である形態を例示した。幅方向断面において突条１４７の形状は、これに限定されず、例えば、正方形、正三角形あるいは半円状などでもよい。
【００３８】
以上、ケーブル制振装置およびケーブル制振装置用カバーについて種々の実施形態を例示したが、本発明にかかるケーブル制振装置およびケーブル制振装置用カバーは何れの実施形態にも限定されない。
【符号の説明】
【００３９】
１１  ケーブル
１２  橋桁
１３  定着管
１４  フランジ部材
１４ａ  フランジ
１４ｂ  胴部
１００  ケーブル制振装置
１０２  制振装置
１０４  カバー（ケーブル制振装置用カバー）
１０４ａ  カバー本体
１０４ｂ  第１装着部
１０４ｂ１  第１装着部の内側面
１０４ｃ  第２装着部
１０４ｃ１  第２装着部の内側面
１０４ｄ  分割部
１０４ｄ１  分割線
１０４ｅ  締結部材
１０４ｆ  水抜き穴
１０４ｇ  締結バンド
１０４ｈ  締結バンド
１２１  ケーブル側部材
１２１ａ  フランジ
１２２  制振ユニット
１２２ａ，１２２ｂ  プレート
１２２ｃ  粘弾性体
１４１，１４２  分割部１０４ｄの縁
１４３，１４４  フランジ
１４３ａ，１４４ａ  挿通孔
１４３ｂ，１４４ｂ  補強板
１４５，１４６  合わせ面
１４７  突条
１４７ａ  平坦な面
１４８  ボルトナット
Ｋ  止水ライン
【図１】
2018087449.tif 000003
【図２】
2018087449.tif 000004
【図３】
2018087449.tif 000005
【図４】
2018087449.tif 000006